(57)【要約】【課題】データの間欠記録において周期間隔に応じてメカデッキ部の駆動を制御する。【解決手段】入力データを符号化する符号化部１０と、符号化部１０で符号化したデータを所定周期間隔で１フレーム単位ごとに抽出し、抽出したデータをメモリ２９に記憶し、メモリ２９に記憶されているデータを所定フレーム数ごとに読み出す読出部１１と、読出部１１で読み出したデータを記録媒体１３に記録する際に、記録媒体を駆動する駆動部３３と、駆動部３３を制御する制御部３４と、符号化部１０で符号化したデータを１フレーム単位ごとに抽出する際の周期間隔を設定する設定部１４とを備える。【選択図】  図１
2004342172.tif 000002
【特許請求の範囲】
【請求項１】
記録媒体にデータを間欠的に記録する記録装置であって、
入力データを符号化する符号化手段と、
上記符号化手段で符号化したデータを所定周期間隔で１フレーム単位ごとに抽出する抽出手段と、
上記抽出手段で抽出したデータを記憶部に記憶する記憶手段と、
上記記憶部に記憶されているデータを所定フレーム数ごとに読み出す読出手段と、
上記読出手段で読み出したデータを上記記録媒体に記録する記録手段と、
上記記録手段により上記記録媒体にデータを記録する際に、上記記録媒体を駆動する駆動手段と、
上記駆動手段を制御する制御手段と、
上記符号化手段で符号化したデータを１フレーム単位ごとに抽出する際の周期間隔を設定する設定手段とを備え、
上記抽出手段は、上記設定手段で設定された周期間隔に基づき、上記符号化手段で符号化したデータを１フレーム単位ごとに抽出し、
上記制御手段は、上記設定手段で設定された周期間隔に基づき、上記駆動手段の駆動状態を停止又は継続することを特徴とする記録装置。
【請求項２】
上記制御手段は、上記設定手段で設定された周期間隔を通常再生するのに要する時間（以下、「Ｔ１」という。）が、上記駆動手段の起動及び停止に要する時間（以下、「Ｔ２」という。）と、上記記録手段により上記記録媒体にデータを記録するのに要する時間（以下、「Ｔ３」という。）との合計時間（以下、「Ｔ２＋Ｔ３」という。）よりも大きい場合（Ｔ１＞（Ｔ２＋Ｔ３））、上記駆動手段の駆動状態を停止し、
Ｔ１が、Ｔ２＋Ｔ３よりも小さい場合（Ｔ１＜（Ｔ２＋Ｔ３））、上記駆動手段を駆動状態を継続することを特徴とする請求項１記載の記録装置。
【請求項３】
上記読出手段は、上記記憶部に記憶されているデータを所定フレーム数ごとに読み出す際に、先端の１フレーム又は／及び末端の１フレームに相当するデータを複数回繰り返して読み出すことを特徴とする請求項１記載の記録装置。
【発明の詳細な説明】
【０００１】
【発明の属する技術分野】
本発明は、連続的に入力されるデータをフレーム単位で間欠的に抽出し、抽出したデータを記録する記録装置に関する。
【０００２】
【従来の技術】
近年、例えば自動預払機（ＡＴＭ、ａｕｔｏｍａｔｅｄ−ｔｅｌｌｅｒ  ｍａｃｈｉｎｅ）を設置した場所等では、セキュリティ確保のため、監視用ビデオ記録装置が使用されている。このような監視用ビデオ記録装置は、タイムラプスＶＴＲとも呼ばれ、通常、監視用ビデオカメラより出力されるビデオ信号を間欠的に磁気テープに記録するようになっている（特許文献１参照）。このような監視用ビデオ記録装置では、間欠したビデオ信号を記録するために、任意の周期で１フィールドまたは１フレーム単位で記録媒体に記録する方式（以下、第１の方式という。）や、所定数のフレームをメモリに蓄積し、それを所定の周期で連続的に読み出しながら磁気テープに記録する方式（以下、第２の方式という。）が知られている。第２の方式は、第１の方式に比べ、磁気テープを走行させる回数が少なく済むため、ヘリカルスキャン方式の監視用ビデオ記録装置に対して磁気テープやヘッドへの負荷が少ないことや、デジタル化した信号処理と親和性がよいことなどを理由に、近年広く使われるようになっている。
【０００３】
【特許文献１】
特願平１１−５１９９５９号公報
【０００４】
【発明が解決しようとする課題】
しかしながら、第１の方式又は第２の方式を採用した監視用ビデオ記録装置は、間欠的にビデオ信号を記録するときに、当該記録に応じて間欠的にドラムを回転駆動させて磁気テープの送り作業を行なうため、一度データの記録を終了した後にドラムの駆動を停止し、次回の記録時に再びドラムの駆動を開始する必要があり、連続的に入力されるデータから間欠的に１フレーム分のデータを抽出する周期間隔を一定時間以上とらねばならず、任意に所定周期を選ぶことができない不都合があった。
【０００５】
そこで、本発明は、上述したような実情に鑑みて提案されたものであり、第２の方式を採用し、任意に周期間隔を選ぶことができ、前回記録したデータを上書き消去しないで入力したデータを間欠的に記録媒体に記録する記録装置を提供することを目的とする。
【０００６】
【課題を解決するための手段】
本発明に係る記録装置は、上述の課題を解決するために、記録媒体にデータを間欠的に記録する記録装置であって、入力データを符号化する符号化手段と、上記符号化手段で符号化したデータを所定周期間隔で１フレーム単位ごとに抽出する抽出手段と、上記抽出手段で抽出したデータを記憶部に記憶する記憶手段と、上記記憶部に記憶されているデータを所定フレーム数ごとに読み出す読出手段と、上記読出手段で読み出したデータを上記記録媒体に記録する記録手段と、上記記録手段により上記記録媒体にデータを記録する際に、上記記録媒体を駆動する駆動手段と、上記駆動手段を制御する制御手段と、上記符号化手段で符号化したデータを１フレーム単位ごとに抽出する際の周期間隔を設定する設定手段とを備え、上記抽出手段は、上記設定手段で設定された周期間隔に基づき、上記符号化手段で符号化したデータを１フレーム単位ごとに抽出し、上記制御手段は、上記設定手段で設定された周期間隔に基づき、上記駆動手段の駆動状態を停止又は継続する。
【０００７】
【発明の実施の形態】
以下、本発明の実施の形態について図面を参照しながら詳細に説明する。
【０００８】
本発明は、図１に示すような、映像信号のインターバル（間欠）記録を行なう記録装置１に適用される。記録装置１は、入力した映像信号に所定の処理を行なう処理部１０と、処理部１０で所定の処理を行なった映像信号のデータを所定の周期で間欠的にメモリ２９に記憶するメモリ部１１と、メモリ２９に記憶されたデータを磁気テープ等の記録媒体（以下、「磁気テープ１３」という。）に記録する記録部１２と、処理部１０で所定の処理を行なった映像信号のデータから間欠的に１フレーム分のデータを抽出する際の周期間隔Ｔを設定する間欠周期設定部１４とを備える。
【０００９】
処理部１０は、被写体を撮像し、所定の処理を行ない処理後データＤ１（以下、単に「データＤ１」という。）を生成する第１の処理部２０と、所定の映像信号が入力され、所定の処理を行ない処理後データＤ２（以下、単に「データＤ２」という。）を生成する第２の処理部２１と、第１の処理部２０で生成されたデータＤ１と第２の処理部２１で生成されたデータＤ２とを選択的に切り換え、メモリ部１１に出力する切換部２２とを備える。第１の処理部２０は、被写体を撮像するＣＣＤ（ｃｈａｒｇｅ−ｃｏｕｐｌｅｄ  ｄｅｖｉｃｅ）部２３と、ＣＣＤ部２３で撮像された被写体の映像信号をデジタル化（符号化）処理するＡＤＣ（ａｎａｌｏｇ  ｄｉｇｉｔａｌ  ｃｏｎｖｅｒｔｅｒ）部２４と、ＡＤＣ部２４で符号化された信号にカメラ信号処理（欠陥補正及びガンマ補正等の補正処理）を行ない、データＤ１を生成するカメラ信号処理部２５とを備える。
【００１０】
また、第２の処理部２１は、アナログのＮＴＳＣ（ｎａｔｉｏｎａｌ  ｔｅｌｅｖｉｓｉｏｎ    ｓｙｓｔｅｍ    ｃｏｍｍｉｔｔｅｅ）方式又はＰＡＬ（ｐｈａｓｅ  ａｌｔｅｒｎａｔｉｏｎ  ｂｙ  ｌｉｎｅ）方式等による信号が入力される入力部２６と、入力部２６から入力された信号を符号化処理するＡＤＣ部２７と、ＡＤＣ部２７で符号化された信号に所定のデコード処理を行ない、データＤ２を生成するライン入力信号処理部２８とを備える。
【００１１】
切換部２２は、第１の処理部２０からデータＤ１が入力される端子ａと、第２の処理部２１からデータＤ２が入力される端子ｂとを有し、外部から入力される操作信号に応じて端子ａと端子ｂとを選択的に切り換える。
【００１２】
メモリ部１１は、所定容量を有するメモリ２９と、切換部２２から連続的に入力されるデータＤ１又はデータＤ２から、後述する間欠周期設定部１４で設定された周期間隔Ｔで間欠的に１フレーム分のデータを抽出し、当該抽出したデータをメモリ２９に書き込み、書き込んだデータをメモリ２９から読み出し、読み出したデータを記録部１２に出力するメモリ制御回路部３０とを有する。メモリ制御回路部３０は、メモリ２９に所定のフレーム数に相当するデータが記憶されたときに、その旨の信号Ｓ１を生成し、当該信号Ｓ１をデジタル記録制御回路部に出力する。そして、メモリ制御回路部３０は、メモリ２９からデータを１フレーム単位で順次読み出し、読み出したデータをデジタル記録信号処理部に出力する。
【００１３】
記録部１２は、メモリ部１１から供給されたデータにエラー訂正符号等の処理を行なうデジタル記録信号処理部３１と、デジタル記録信号処理部３１から供給されたデータを磁気テープ１３に記録するヘッド部３２と、磁気テープ１３を駆動するメカデッキ部３３と、デジタル記録信号処理部３１と、メカデッキ部３３の動作を制御するデジタル記録制御回路部３４とを備える。
【００１４】
間欠周期設定部１４は、処理部１０で所定の処理を行なった映像信号のデータから間欠的に１フレーム分のデータを抽出する際の周期間隔Ｔを設定し、設定した周期間隔Ｔに基づく信号Ｓ２をメモリ部１１のメモリ制御回路部３０と、記録部１２のデジタル記録制御回路部３４とに供給する。
【００１５】
ここで、記録部１２の動作について説明する。デジタル記録制御回路部３４は、メモリ制御回路部３０から供給された信号Ｓ１と、間欠周期設定部１４から供給された信号Ｓ２とに基づき、メカデッキ部３３の動作を制御する信号（以下、「制御信号Ｓ１」という。）と、デジタル記録信号処理部３１の動作を制御する信号（以下、「制御信号Ｓ２」という。）を生成する。
【００１６】
メカデッキ部３３は、デジタル記録制御回路部３４から供給された制御信号Ｓ１に応じて磁気テープ１３を回転駆動するドラム等の起動状態を停止又は継続する。また、デジタル記録信号処理部３１は、デジタル記録制御回路部３４から供給された制御信号Ｓ２に応じてメモリ制御回路部３０から供給されたデータに所定の処理を行なう。
【００１７】
つぎに、磁気テープ１３にデータを記録するタイミングについて説明する。メカデッキ部３３は、デジタル記録制御回路部３４から供給される制御信号Ｓ１に応じて、磁気テープ１３の駆動を開始する。メカデッキ部３３は、磁気テープ１３の送り速度が加速され、安定状態に達するまでデータの記録を行なわない。もしも、磁気テープ１３の送り速度が所定の速度まで加速され、安定状態に達する前にデータの記録を開始してしまうと、磁気テープ１３上のトラックパターンが狂ってしまう。このような磁気テープ１３を再生すると、正確に記録パターンをトレースすることができず、データの再生を困難にしてしまう。
【００１８】
また、メカデッキ部３３は、磁気テープ１３の送り速度を安定状態に達するまで当該磁気テープ１３を記録方向に送り続けるので、前回記録したデータに新たなデータを適式に繋ぎ記録するために、前回の記録作業が終了し、回転ドラム等の駆動を停止する前に、磁気テープ１３の記録終了位置を基準にして所定量Ｌだけ巻き戻し処理を行なう。なお、この所定量Ｌは、メカデッキ部３３の駆動制御機能に依存するものであり、メカデッキ部３３により磁気テープ１３の送り速度が所定の速度まで加速され、安定状態に達するまでに要する時間に基づき決定される。
【００１９】
また、本発明に係るメモリ制御回路部３０は、メカデッキ部３３が安定状態に達するまでの間、メモリ２９から所定のデータ、例えば、メモリ２９から一番最初に読み出され、磁気テープ１３に一番最初に記録される１フレーム分のデータ（以下、「先端データ」という。）を繰り返し読み出す。そして、メカデッキ部３３が記録できる状態になった時に、メモリ制御回路部３０はメモリ２９から先端データ以降の所定のフレーム数分のデータを読み出し、記録部１２に出力する。
【００２０】
ここで、上述のように構成される記録装置１により入力データを所定間隔の周期で磁気テープ１３に間欠記録する動作について図２に示すフローチャートを用いて説明する。
【００２１】
ステップＳ１において、ユーザは、間欠周期設定部１４により周期間隔Ｔを設定する。間欠周期設定部１４は、設定した周期間隔Ｔに基づく信号Ｓ２を生成し、メモリ制御回路部３０とデジタル記録制御回路部３４に供給する。
【００２２】
ステップＳ２において、メモリ制御回路部３０は、ステップＳ１で設定した周期間隔Ｔに相当する時間が経過するまで、処理部１０から供給されてくるデータをメモリ２９に書き込まず、待機する。
【００２３】
ステップＳ３において、メモリ制御回路部３０は、周期間隔Ｔに相当する時間が経過した後に処理部１０から供給されてくる１フレーム分のデータをメモリ２９に書き込む。
【００２４】
ステップＳ４において、メモリ制御回路部３０は、メモリ２９に所定量のデータ（フレーム数）が書き込まれたかどうかを判断する。メモリ２９に所定量のデータが書き込まれている場合には、ステップＳ５に進む。また、メモリ２９に所定量のデータが書き込まれていない場合には、ステップＳ２に戻り、メモリ２９に所定量のデータが書き込まれるまでステップＳ２からステップＳ４までの工程を繰り返し行なう。例えば、メモリ制御回路部３０は、図４に示すように、メモリ２９に６フレーム分のデータが書き込まれたときに、メモリ２９に所定量のデータが書き込まれたと判断する。また、メモリ２９は、６フレーム分以上のデータを書き込める容量を有するものとし、順次周期間隔Ｔごとの１フレーム分のデータの書き込み作業を続けるものとする。
【００２５】
ステップＳ５において、メモリ制御回路部３０は、メモリ２９に所定のフレーム数に相当するデータが書き込まれた旨の信号Ｓ１を生成し、当該信号Ｓ１をデジタル記録制御回路部３４に供給する。デジタル記録制御回路部３４は、メモリ制御回路部３０から供給された信号Ｓ１に応じて、駆動開始を指示する制御信号Ｓ１を生成し、当該制御信号Ｓ１をメカデッキ部３３に供給する。メカデッキ部３３は、供給された制御信号Ｓ１に応じて、ドラムの回転駆動及び磁気テープ１３の送り駆動を開始する。また、メモリ制御回路部３０は、データ処理の開始を指示する制御信号Ｓ２を生成し、当該制御信号Ｓ２をデジタル記録信号処理部３１に供給する。
【００２６】
ステップＳ６において、デジタル記録制御回路部３４は、メモリ２９から１フレーム分のデータを読み出す。デジタル記録信号処理部３１は、デジタル記録制御回路部３４から供給される制御信号Ｓ２に応じて、メモリ制御回路部３０から供給されてくるデータに所定の処理を行ない、処理後の信号をヘッド部３２に供給する。なお、デジタル記録制御回路部３４は、磁気テープ１３の送り速度が安定した状態（一定の速度）に達するまでデータの記録を開始しないようにメカデッキ部３３とヘッド部３２を制御する。
【００２７】
ステップＳ７において、デジタル記録制御回路部３４は、メカデッキ部３３が安定状態に達しているかどうかを判断する。メカデッキ部３３が安定状態に達している場合には、ステップＳ８に進む。また、メカデッキ部３３が安定状態に達していない場合には、ステップＳ６に戻り、メモリ制御回路部３０はメモリ２９から先端の１フレーム分のデータを読み出す作業を繰り返し行なう。メモリ制御回路部３０は、図４に示すように、メカデッキ部３３が安定状態に達するまで、メモリ２９から同一フレームのデータを繰り返し読み出し続ける。
【００２８】
ステップＳ８において、メモリ制御回路部３０は、メモリ２９から順次フレーム単位でデータを読み出す。デジタル記録信号処理部３１は、上述したようにメモリ制御回路部３０から供給されてくるデータに所定の処理を行ない、処理後のデータをヘッド部３２に供給する。ヘッド部３２は、デジタル記録信号処理部３１から供給されるデータを磁気テープ１３に記録する。
【００２９】
ステップＳ９において、メモリ制御回路部３０は、メモリ２９から所定のフレーム数分のデータを読み出し、末端の１フレーム分のデータを読み出したことを確認した場合、メモリ２９からのデータ読み出し作業を終了する。なお、この末端の１フレーム分のデータは、磁気テープ１３に一番最後に記録されるものであり、以下、末端データという。
【００３０】
ステップＳ１０において、記録部１２は、メモリ制御回路部３０からデータの供給が停止したことを確認し、メカデッキ部３３による記録動作を停止する。そして、記録部１２は、磁気テープ１３を所定量Ｌだけ巻き戻し（ステップＳ１１）、メカデッキ部３３による磁気テープ１３の送り駆動を停止する（ステップＳ１２）。
【００３１】
ステップＳ１３において、デジタル記録制御回路部３４は、間欠周期設定部１４から供給された信号Ｓ２に基づき、メカデッキ部３３のドラムの駆動を停止するか、継続するかを判断する。
【００３２】
ここで、デジタル記録制御回路部３４の動作について説明する。デジタル記録制御回路部３４は、図４に示すように、ドラムを回転させ、所定のフレーム数に相当するデータを磁気テープ１３に記録するために要する時間Ａと、当該データの記録終了後、磁気テープ１３を所定量Ｌだけ巻き戻すために要する時間Ｂと、ドラムを停止するまでに要する時間を時間Ｃと、停止しているドラムを一定速度に達するまで加速するのに要する時間を時間Ｄと、データの記録を開始するときに所定量Ｌだけ巻き戻っている状態の磁気テープ１３を駆動して記録開始点まで送るまでに要する時間Ｅと、メモリ２９から読み出す所定のフレーム数に相当するデータを通常再生するのに要する時間Ｆと、間欠周期設定部１４で設定された周期間隔Ｔを通常再生するのに要する時間Ｇとに応じて、ドラムの駆動を停止するか、又は継続するかを決定する。
【００３３】
デジタル記録制御回路部３４は、例えば、図４に示すように、時間Ａ＋時間Ｂ＋時間Ｃ＋（時間Ｄか時間Ｅのうち大きい方）＜時間Ｆ×時間Ｇの場合には、ドラムの駆動を停止する旨の制御信号Ｓ１を生成し、メカデッキ部３３に供給する。メカデッキ部３３は、制御信号Ｓ１に応じて、ドラムの駆動を停止する（ステップＳ１４）。  そして、記録装置１は、続けてデータの間欠記録を行なうかどうかを判断する（ステップＳ１５）。続けてデータの間欠記録を行なう場合には、ステップＳ２に戻る。また、続けてデータの間欠記録を行なわない場合には、間欠記録の動作が終了する。このとき、ヘッド部３２が磁気テープ１３から離れ、非摺動状態となる。
【００３４】
一方、デジタル記録制御回路部３４は、例えば、図５に示すように、時間Ａ＋時間Ｂ＋時間Ｃ＋（時間Ｄか時間Ｅのうち大きい方）≦時間Ｆ×時間Ｇの場合には、ドラムの駆動を継続する旨の制御信号Ｓ１を生成し、メカデッキ部３３に供給する。メカデッキ部３３は、制御信号Ｓ１に応じて、ドラムの駆動を停止することなく継続する（ステップＳ１６）。
【００３５】
ステップＳ１７において、メモリ制御回路部３０は、周期間隔Ｔに相当する時間が経過するまで、処理部１０から供給されてくるデータをメモリ２９に書き込まず、待機する。
【００３６】
ステップＳ１８において、メモリ制御回路部３０は、周期間隔Ｔに相当する時間が経過した後に処理部１０から供給されてくる１フレーム分のデータをメモリ２９に書き込む。
【００３７】
ステップＳ１９において、メモリ制御回路部３０は、メモリ２９に所定量のデータ（フレーム数）が書き込まれたかどうかを判断する。メモリ２９に所定量のデータが書き込まれている場合には、ステップＳ２０に進む。また、メモリ２９に所定量のデータが書き込まれていない場合には、ステップＳ１７に戻り、メモリ２９に所定量のデータが書き込まれるまでステップＳ１７からステップＳ１９の工程を繰り返し行なう。
【００３８】
ステップＳ２０において、メモリ制御回路部３０は、メモリ２９に所定量のデータが書き込まれた旨の信号Ｓ１を生成し、当該信号Ｓ１をデジタル記録制御回路部３４に供給する。デジタル記録制御回路部３４は、メモリ制御回路部３０から供給された信号Ｓ１に応じて、駆動開始を指示する制御信号Ｓ１を生成し、当該制御信号Ｓ１をメカデッキ部３３に供給する。メカデッキ部３３は、供給された制御信号Ｓ１に応じて、磁気テープ１３の送り駆動を開始する（ドラムの回転駆動は継続されている）。また、デジタル記録制御回路部３４は、データ処理の開始を指示する制御信号Ｓ２を生成し、当該制御信号Ｓ２をデジタル記録信号処理部３１に供給する。
【００３９】
ステップＳ２１において、メモリ制御回路部３０は、メモリ２９から１フレーム分のデータを読み出す。デジタル記録信号処理部３１は、デジタル記録制御回路部３４から供給される制御信号Ｓ２に応じて、メモリ制御回路部３０から供給されてくるデータに所定の処理を行ない、処理後の信号をヘッド部３２に供給する。なお、デジタル記録制御回路部３４は、磁気テープ１３の送り速度が安定した状態（一定の速度）に達するまでデータの記録を開始しないようにメカデッキ部３３とヘッド部３２を制御する。
【００４０】
ステップＳ２２において、デジタル記録制御回路部３４は、メカデッキ部３３が安定状態に達しているかどうかを判断する。メカデッキ部３３が安定状態に達している場合には、ステップＳ２３に進む。また、メカデッキ部３３が安定状態に達していない場合には、ステップＳ２１に戻り、メモリ制御回路部３０はメモリ２９から先端の１フレーム分のデータを読み出す作業を繰り返し行なう。なお、ステップＳ２２では、上述したステップＳ７と同様に、メカデッキ部３３が安定状態に達するまで、メモリ２９から同一フレームのデータを繰り返し読み出し続ける。
【００４１】
ステップＳ２３において、メモリ制御回路部３０は、メモリ２９から順次フレーム単位でデータを読み出す。デジタル記録信号処理部３１は、上述したようにメモリ制御回路部３０から供給されてくるデータに所定の処理を行ない、処理後のデータをヘッド部３２に供給する。ヘッド部３２は、デジタル記録信号処理部３１から供給されるデータを磁気テープ１３に記録する。
【００４２】
ステップＳ２４において、メモリ制御回路部３０は、メモリ２９から所定のフレーム数分のデータを読み出し、末端データを読み出したことを確認した場合、メモリ２９からのデータ読み出し作業を終了する。
【００４３】
ステップＳ２５において、記録部１２は、メモリ制御回路部３０からデータの供給が停止したことを確認し、メカデッキ部３３による記録動作を停止する。このとき、ヘッド部３２が磁気テープ１３から離れ、非摺動状態となる。そして、記録部１２は、磁気テープ１３を所定量Ｌだけ巻き戻し（ステップＳ２６）、メカデッキ部３３による磁気テープ１３の送り駆動を停止する（ステップＳ２７）。また、記録装置１は、続けてデータの間欠記録を行なうかどうかを判断する（ステップＳ２８）。続けてデータの間欠記録を行なう場合には、ステップＳ１６に戻る。また、続けてデータの間欠記録を行なわない場合には、ドラムの駆動を停止する旨の制御信号Ｓ１を生成し、メカデッキ部３３に供給する。メカデッキ部３３は、制御信号Ｓ１に応じて、ドラムの駆動を停止する（ステップＳ２９）。
【００４４】
上述したように本願発明に係る記録装置１は、処理部１０から連続的に入力されるデータから間欠周期設定部１４により設定された周期間隔Ｔに基づき、１フレーム分に相当するデータをメモリ２９に間欠的に書き込み、メモリ２９に所定のフレーム数に相当するデータが書き込まれた際に、磁気テープ１３の送り速度が安定状態に達するまでメモリ２９から先端データを繰り返し読み出し続け、磁気テープ１３の送り速度が安定状態に達したときに、メモリ２９から先端データ以降のデータを読み出し、先端データから末端データまで磁気テープ１３に記録し、その後、当該周期間隔Ｔに基づきメカデッキ部３３のドラムの駆動を停止するか又は継続し続けるかを判断し、続けて磁気テープ１３にデータの記録を行なうので、入力される連続データから間欠的に抽出する１フレーム分のデータを任意の周期間隔Ｔで行なうことができ、また、周期間隔Ｔの設定値によっては、ドラムの駆動を停止することなく磁気テープ１３にデータを間欠記録することができる。
【００４５】
したがって、本願発明に係る記録装置１は、メカデッキ部３３に負担をかけることなくデータの間欠記録を行なうことができる。また、本願発明に係る記録装置１は、磁気テープ１３の送り速度が不安定な状態でデータの記録を行なわず、かつ、先端データを欠くことなくデータの繋ぎ記録をすることができる。
【００４６】
また、記録装置１では、時間Ａ＋時間Ｂ＋時間Ｃ＋（時間Ｄか時間Ｅのうち大きい方）＜時間Ｆ×時間Ｇの場合に、ステップＳ１４の工程によりドラムの駆動を停止するので、ヘッド部３２の摩耗や磁性体による目詰まりによる故障等を回避することができ、耐久性を向上することができ、また、時間Ａ＋時間Ｂ＋時間Ｃ＋（時間Ｄか時間Ｅのうち大きい方）≧時間Ｆ×時間Ｇの場合に、ステップＳ１６の工程によりドラムの駆動が継続するので、データを間欠記録する際にドラムの駆動及び停止を頻繁に繰り返さないので、メカデッキ部３３の負荷が小さくて済む。
【００４７】
なお、ステップＳ１３において、時間Ｄと時間Ｅを比べて大きい方を用いるのは、ドラムと磁気テープ１３が停止した状態から実際に記録できる状態に遷移する場合、それぞれの起動は平行して行なうことが可能であり、実際の制御方法としては、時間が掛かる方を先に起動を開始し、時間の掛からない方をデータの記録開始時間から逆算して開始している。また、本願発明に係る記録装置１では、時間Ａ＋時間Ｂ＋時間Ｅ≦時間Ｆ×時間Ｇの条件が満たされることとする。これは、データ記録後に磁気テープ１３を所定量Ｌだけ巻き戻し、直後に再びデータを記録するためにテープ送りをし、次のデータの記録までにメモリ２９がデータ記録する所定のフレーム数に相当するデータを記憶できることを担保しており、時間Ａ＋時間Ｂ＋時間Ｅ＞時間Ｆ×時間Ｇのときには、時間Ｆを大きく、すなわち、所定のフレーム数を増加することで対応を図る必要がある。
【００４８】
また、メカデッキ部３３は、以前に記録したデータの末端に新たなデータの先端を繋いで記録するために磁気テープ１３の送り量を制御している。ここで、メカデッキ部３３による磁気テープ１３の送り量の制御を考慮したメモリ制御回路部３０の動作について図６に示すフローチャートを用いて説明する。なお、記録装置１の各部の動作は上述と同様なので、各部の詳細な動作の説明は省略する。
【００４９】
ステップＳ４０において、ユーザは、間欠周期設定部１４により周期間隔Ｔを設定する。間欠周期設定部１４は、設定した周期間隔Ｔに基づく信号Ｓ２を生成し、メモリ制御回路部３０とデジタル記録制御回路部３４に供給する。
【００５０】
ステップＳ４１において、メモリ制御回路部３０は、ステップＳ４０で設定した周期間隔Ｔに相当する時間が経過するまで、処理部１０から供給されてくるデータをメモリ２９に書き込まず、待機する。
【００５１】
ステップＳ４２において、メモリ制御回路部３０は、周期間隔Ｔに相当する時間が経過した後に処理部１０から供給されてくる１フレーム分のデータをメモリ２９に書き込む。
【００５２】
ステップＳ４３において、メモリ制御回路部３０は、メモリ２９に所定のフレーム数に相当するデータが書き込まれたかどうかを判断する。メモリ２９に所定量のデータが書き込まれている場合には、ステップＳ４４に進む。また、メモリ２９に所定量のデータが書き込まれていない場合には、ステップＳ４１に戻り、メモリ２９に所定量のデータが書き込まれるまでステップＳ４１からステップＳ４３までの工程を繰り返す。
【００５３】
ステップＳ４４において、メモリ制御回路部３０は、メモリ２９に所定のフレーム数に相当するデータが書き込まれた旨の信号Ｓ１を生成し、当該信号Ｓ１をデジタル記録制御回路部３４に供給する。デジタル記録制御回路部３４は、メモリ制御回路部３０から供給された信号Ｓ１に応じて、駆動開始を指示する制御信号Ｓ１を生成し、当該制御信号Ｓ１をメカデッキ部３３に供給する。メカデッキ部３３は、供給された制御信号Ｓ１に応じて、ドラムの回転駆動及び磁気テープ１３の送り駆動を開始する。また、デジタル記録制御回路部３４は、データ処理の開始を指示する制御信号Ｓ２を生成し、当該制御信号Ｓ２をデジタル記録信号処理部３１に供給する。
【００５４】
ステップＳ４５において、メモリ制御回路部３０は、メモリ２９から１フレーム分のデータを読み出す。なお、メモリ制御回路部３０は、メモリ２９から１フレーム分のデータを読み出す度に繰り上げられるカウンタＮの値を一つ繰り上げる。
【００５５】
ステップＳ４６において、メモリ制御回路部３０は、メモリ２９から末端データを読み出したかどうかを判断する。メモリ制御回路部３０は、ステップＳ４５で繰り上げられるカウンタＮの値を参照し、当該カウンタＮの値が所定値に達しているかどうかを判断する。末端データを読み出していない場合、すなわちカウンタＮの値が所定値に達していない場合には、ステップＳ４５に戻り、末端データを読み出している場合、すなわちカウンタＮの値が所定値に達している場合には、ステップＳ４７に進む。
【００５６】
ステップＳ４７において、メモリ制御回路部３０は、メモリ２９から末端データを読み出す度に繰り上げられるカウンタＭの値を一つ繰り上げる。
【００５７】
ステップＳ４８において、メモリ制御回路部３０は、メモリ２９から末端データを読み出す。メモリ制御回路部３０は、メモリ２９から末端データを読み出したときに、カウンタＭの値を一つ繰り上げる。
【００５８】
ステップＳ４９において、メモリ制御回路部３０は、メモリ２９から所定分の末端データが読み出されたかどうかを判断する。メモリ制御回路部３０は、ステップＳ４８により繰り上げられるカウンタＭの値を参照し、当該カウンタＭの値が所定値（図８に示す例では所定値は「６」となる。）に達しているかどうかを判断する。末端データがメモリ２９から所定分読み出されていない場合、すなわちカウンタＭの値が所定値に達していない場合には、ステップＳ４８に戻り、末端データがメモリ２９から所定分読み出されている場合、すなわちカウンタＭの値が所定値に達している場合には、メモリ２９からの末端データの読み出し作業を終了し、ステップＳ５０に進む。
【００５９】
ステップＳ５０において、記録部１２は、メモリ制御回路部３０からデータの供給が停止したことを確認し、メカデッキ部３３による記録動作を停止する。そして、記録部１２は、磁気テープ１３を所定量Ｌだけ巻き戻し（ステップＳ５１）、メカデッキ部３３による磁気テープ１３の駆動を停止する（ステップＳ５２）。なお、ステップＳ５０〜ステップＳ５２の工程を行なうときに、カウンタＭの値を初期化する。
【００６０】
ステップＳ５３において、デジタル記録制御回路部３４は、間欠周期設定部１４から供給された信号Ｓ２に基づき、メカデッキ部３３のドラムの駆動を停止するか、継続するかを判断する。なお、ステップＳ５３におけるデジタル記録制御回路部３４による判断手法については、上述のステップＳ１３で述べたことと同様であるので説明を省略する。
【００６１】
ステップＳ５４において、メカデッキ部３３は、制御信号Ｓ１に応じてドラムの駆動を停止する。このとき、ヘッド部３２が磁気テープ１３から離れ、非摺動状態となる。
【００６２】
ステップＳ５５において、記録装置１は、続けてデータの間欠記録を行なうかどうかを判断し、続けてデータの間欠記録を行なう場合には、ステップＳ２に戻る。
【００６３】
また、ステップＳ５６において、メカデッキ部３３は、制御信号Ｓ１に応じてドラムの駆動を停止することなく継続する。
【００６４】
ステップＳ５７において、メモリ制御回路部３０は、周期間隔Ｔに相当する時間が経過するまで、処理部１０から供給されてくるデータをメモリ２９に書き込まず、待機する。
【００６５】
ステップＳ５８において、メモリ制御回路部３０は、周期間隔Ｔに相当する時間が経過した後に処理部１０から供給されてくる１フレーム分のデータをメモリ２９に書き込む。
【００６６】
ステップＳ５９において、メモリ制御回路部３０は、メモリ２９に所定量のデータ（フレーム数）が書き込まれたかどうかを判断する。メモリ２９に所定量のデータが書き込まれている場合には、ステップＳ６０に進む。また、メモリ２９に所定量のデータが書き込まれていない場合には、ステップＳ５７に戻り、メモリ２９に所定量のデータが書き込まれるまでステップＳ５７からステップＳ５９までの工程を繰り返す。
【００６７】
ステップＳ６０において、メモリ制御回路部３０は、メモリ２９に所定のフレーム数に相当するデータが書き込まれた旨の信号Ｓ１を生成し、当該信号Ｓ１をデジタル記録制御回路部３４に供給する。デジタル記録制御回路部３４は、メモリ制御回路部３０から供給された信号Ｓ１に応じて、駆動開始を指示する制御信号Ｓ１を生成し、メカデッキ部３３に供給する。メカデッキ部３３は、供給された制御信号Ｓ１に応じて、磁気テープ１３の送り駆動を開始する（ドラムの回転駆動は継続されている）。また、メモリ制御回路部３０は、データ処理の開始を指示する制御信号Ｓ２を生成し、当該制御信号Ｓ２をデジタル記録信号処理部３１に供給する。
【００６８】
ステップＳ６１において、メモリ制御回路部３０は、メモリ２９から１フレーム分のデータを読み出す。なお、メモリ制御回路部３０は、メモリ２９から１フレーム分のデータを読み出す度に繰り上げられるカウンタＮの値を一つ繰り上げる。
【００６９】
ステップＳ６２において、メモリ制御回路部３０は、メモリ２９から末端データを読み出したかどうかを判断する。メモリ制御回路部３０は、ステップＳ６１で繰り上げられるカウンタＮの値を参照し、当該カウンタＮの値が所定値に達しているかどうかを判断する。末端データを読み出していない場合、すなわちカウンタＮの値が所定値に達していない場合には、ステップＳ６１に戻り、末端データを読み出している場合、すなわちカウンタＮの値が所定値に達している場合には、ステップＳ６３に進む。
【００７０】
ステップＳ６３において、メモリ制御回路部３０は、メモリ２９から末端データを読み出す度に繰り上げられるカウンタＭの値を一つ繰り上げる。
【００７１】
ステップＳ６４において、メモリ制御回路部３０は、メモリ２９から末端データを読み出す。メモリ制御回路部３０は、メモリ２９から末端データを読み出したとき、カウンタＭの値を一つ繰り上げる。
【００７２】
ステップＳ６５において、メモリ制御回路部３０は、メモリ２９から所定分の末端データが読み出されたかどうかを判断する。メモリ制御回路部３０は、ステップＳ６４により繰り上げられるカウンタＭの値を参照し、当該カウンタＭの値が所定値に達しているかどうかを判断する。末端データがメモリ２９から所定分読み出されていない場合、すなわちカウンタＭの値が所定値に達していない場合には、ステップＳ６４に戻り、末端データがメモリ２９から所定分読み出されている場合、すなわちカウンタＭの値が所定値に達している場合には、メモリ２９からの末端データの読み出し作業を終了し、ステップＳ６６に進む。
【００７３】
ステップＳ６６において、記録部１２は、メモリ制御回路部３０からデータの供給が停止したことを確認し、メカデッキ部３３による記録動作を停止する。そして、記録部１２は、磁気テープ１３を所定量Ｌだけ巻き戻し（ステップＳ６７）、メカデッキ部３３による磁気テープ１３の送り駆動を停止する（ステップＳ６８）。また、記録装置１は、続けてデータの間欠記録を行なうかどうかを判断する（ステップＳ６９）。続けてデータの間欠記録を行なう場合には、ステップＳ５６に戻る。また、続けてデータの間欠記録を行なわない場合には、ドラムの駆動を停止する旨の制御信号Ｓ１を生成し、メカデッキ部３３に供給する。メカデッキ部３３は、制御信号Ｓ１に応じて、ドラムの駆動を停止する（ステップＳ７０）。このとき、ヘッド部３２が磁気テープ１３から離れ、非摺動状態となる。
【００７４】
上述したように本願発明に係る記録装置１は、処理部１０から連続的に入力される画像データから間欠周期設定部１４により設定された周期間隔Ｔに基づき、１フレーム分に相当するデータをメモリ２９に間欠的に書き込み、メモリ２９に所定のフレーム数に相当するデータが書き込まれ、磁気テープ１３の送り速度が安定状態に達したときに、メモリ２９からデータを読み出し（末端データは、所定回数繰り返して読み出す）、読み出したデータを磁気テープ１３に記録し、その後、当該周期間隔Ｔに基づきメカデッキ部３３のドラムの駆動を停止するか又は継続し続けるかを判断し、続けて磁気テープ１３にデータの記録を行なうので、入力される連続データから間欠的に抽出する１フレーム分のデータを任意の周期間隔Ｔで行なうことができ、また、周期間隔Ｔの設定値によっては、ドラムの駆動を停止することなく磁気テープ１３にデータを間欠記録することができる。
【００７５】
したがって、本願発明にかかる記録装置１では、メカデッキ部３３に負担をかけることなくデータの間欠記録を行なうことができる。また、本願発明に係る記録装置１は、磁気テープ１３の送り速度が不安定な状態でデータの記録を行なわず、かつ、先端データを欠くことなくデータの繋ぎ記録をすることができる。
【００７６】
また、記録装置１は、上述したステップＳ１からステップＳ２９までの工程及びステップＳ４０からステップＳ７０までの工程を行なうことができる構成であっても良い。
【００７７】
この場合には、記録装置１は、処理部１０から連続的に入力されるデータから間欠周期設定部１４により設定された周期間隔Ｔに基づき、１フレーム分に相当するデータをメモリ２９に間欠的に書き込み、メモリ２９に所定のフレーム数に相当するデータが書き込まれた際に、磁気テープ１３の送り速度が安定状態に達するまでメモリ２９から先端データを繰り返し読み出し続け、磁気テープ１３の送り速度が安定状態に達したときに、メモリ２９から先端データ以降のデータを読み出し、（末端データは、所定回数繰り返して読み出す）、読み出したデータを磁気テープ１３に記録し、その後、当該周期間隔Ｔに基づきメカデッキ部３３のドラムの駆動を停止するか又は継続し続けるかを判断し、続けて磁気テープ１３にデータの記録を行なうので、入力される連続データから間欠的に抽出する１フレーム分のデータを任意の周期間隔Ｔで行なうことができ、また、周期間隔Ｔの設定値によっては、ドラムの駆動を停止することなく磁気テープ１３にデータを間欠記録することができる。
【００７８】
したがって、本願発明にかかる記録装置１では、メカデッキ部３３に負担をかけることなくデータの間欠記録を行なうことができる。また、本願発明に係る記録装置１は、磁気テープ１３の送り速度が不安定な状態でデータの記録を行なわず、かつ、先端データを欠くことなくデータの繋ぎ記録をすることができる。
【００７９】
また、記録装置１は、例えば、メカデッキ部３３の制御の精度が±ｎフレームで繋ぎ記録が可能なものであれば、最後の１フレームが繰り返し記録されているトラックをｎ＋１フレーム分だけ残して上書き記録するように制御すればよい。この場合、繋ぎ記録の開始点が前後にずれたとしても、記録すべきデータが少なくとも１フレーム分は残されることになり、以前のフレームを上書き記録により消去することがなく、かつ、前回記録したデータと新たに記録したデータとの繋ぎ部分を無記録状態にすることがない。
【００８０】
なお、図４、図５及び図８において、磁気テープ１３上の記録パターンが１フレームで１マスのように描かれているが、実際には適用する記録装置の記録フォーマットにより異なり、例えば、ＶＨＳや８ｍｍＶＴＲの場合には、１フレームが２トラックで記録され、また、Ｄｉｇｉｔａｌ８ＶＴＲの場合には、１フレームが５または６トラックで記録され、さらに、ＤＶフォーマットＶＴＲの場合には、１フレームが１０または１２トラックで記録される。
【００８１】
【発明の効果】
以上詳細に説明したように、本発明に係る記録装置は、連続的に入力されるデータから間欠周期設定部により設定された周期間隔Ｔに基づき、１フレーム分に相当するデータをメモリに間欠的に書き込み、メモリに所定のフレーム数に相当するデータが書き込まれた際に、磁気テープの送り速度が安定状態に達するまでメモリから先端データを繰り返し読み出し続け、磁気テープの送り速度が安定状態に達したときに、メモリから先端データ以降のデータを読み出し、先端データから末端データまで磁気テープに記録し、その後、当該周期間隔Ｔに基づきメカデッキ部３３のドラムの駆動を停止するか又は継続し続けるかを判断し、続けて磁気テープにデータの記録を行なうので、入力される連続データから間欠的に抽出する１フレーム分のデータを任意の周期間隔Ｔで行なうことができ、また、周期間隔Ｔの設定値によっては、ドラムの駆動を停止することなく磁気テープにデータを間欠記録することができ、また周期間隔Ｔの設定値によっては、ドラムの駆動を停止することができるので、テープやヘッドの磨耗を防ぐことが可能となる。
【００８２】
また、本発明に係る記録装置は、連続的に入力されるデータから間欠周期設定部により設定された周期間隔Ｔに基づき、１フレーム分に相当するデータをメモリに間欠的に書き込み、メモリに所定のフレーム数に相当するデータが書き込まれ、磁気テープの送り速度が安定状態に達したときに、メモリからデータを読み出し（末端データは、所定回数繰り返して読み出す）、読み出したデータを磁気テープに記録し、その後、当該周期間隔Ｔに基づきメカデッキ部のドラムの駆動を停止するか又は継続し続けるかを判断し、続けて磁気テープにデータの記録を行なうので、入力される連続データから間欠的に抽出する１フレーム分のデータを任意の周期間隔Ｔで行なうことができ、また、周期間隔Ｔの設定値によっては、ドラムの駆動を停止することなく磁気テープにデータを間欠記録することができ、また周期間隔Ｔの設定値によっては、ドラムの駆動を停止することができるので、テープやヘッドの磨耗を防ぐことが可能となる。
【図面の簡単な説明】
【図１】本発明に係る記録装置を示すブロック図である。
【図２】本発明に係る記録装置に備えられているメモリ制御回路部の第１の動作を示すフローチャートである。
【図３】本発明に係る記録装置に備えられているメモリ制御回路部の第１の動作を示す他のフローチャートである。
【図４】図２に示す第１の動作により磁気テープにデータを間欠記録する様子を示す図である。
【図５】図２に示す第１の動作により磁気テープにデータを間欠記録する様子を示す図である。
【図６】本発明に係る記録装置に備えられているメモリ制御回路部の第２の動作を示すフローチャートである。
【図７】本発明に係る記録装置に備えられているメモリ制御回路部の第２の動作を示す他のフローチャートである。
【図８】図６に示す第２の動作により磁気テープにデータを間欠記録する様子を示す図である。
【符号の説明】
１  記録装置、１０  処理部、１１  メモリ部、１２  記録部、１３  磁気テープ、１４  間欠周期設定部、２０  第１の処理部、２１  第２の処理部、２２切換部、２３  ＣＣＤ部、２４，２７  ＡＤＣ部、２５  カメラ信号処理部、２６  入力部、２８  ライン入力信号処理部、２９  メモリ、３０  メモリ制御回路部、３１  デジタル記録信号処理部、３２  ヘッド部、３３  メカデッキ部、３４  デジタル記録制御回路部
【図１】
2004342172.tif 000003
【図２】
2004342172.tif 000004
【図３】
2004342172.tif 000005
【図４】
2004342172.tif 000006
【図５】
2004342172.tif 000007
【図６】
2004342172.tif 000008
【図７】
2004342172.tif 000009
【図８】
2004342172.tif 000010